【事件の表示】
　特許第３１２３５３８号「パチンコ機」の請求項１ないし３に係る特許に対する特許異議の申立てについて、次のとおり決定する。
【結　論】
　訂正を認める。
　特許第３１２３５３８号の請求項１及び２に係る特許を取り消す。
【理　由】
１．手続の経緯
出願　　　　　　　　　　　　　　　　平成　９年　５月１４日
設定登録　　　　　　　　　　　　　　平成１２年１０月２７日
異議申立て（申立人荒井俊之）　　　　平成１３年　７月１３日
　　　　　（申立人　町田彬）　　　　平成１３年　７月１６日
取消理由通知　　　　　　　　　　　　平成１３年１２月１８日
訂正請求書　　　　　　　　　　　　　平成１４年　２月１４日
　　　　　　　　　　　　　　　　　（平成１４年　８月　６日取下）
上申書（申立人　町田彬）　　　　　　平成１４年　４月１６日
取消理由通知　　　　　　　　　　　　平成１４年　６月２６日
訂正請求書　　　　　　　　　　　　　平成１４年　８月　６日
　　　　　　　　　　　　　　　　　（平成１５年　３月　７日取下）
上申書（申立人　町田彬）　　　　　　平成１４年１０月　８日
取消理由通知　　　　　　　　　　　　平成１５年　１月１５日
訂正請求書　　　　　　　　　　　　　平成１５年　３月　７日
　
２．訂正の適否
2-1.訂正の内容
（１）訂正事項ａ
　特許明細書（平成１２年８月９日提出の全文補正明細書）特許請求の範囲の
「【請求項１】　制御装置内に設置されたＲＯＭ等の制御素子によって作動が制御されるパチンコ機であって、
　ＲＯＭの外面にコードによる識別情報が直接に表示されているとともに、
　制御装置に、プリント基板を覆うように透明な合成樹脂製のカバー部材が設けられており、そのカバー部材の外部からＲＯＭに表示された識別情報を認識可能であることを特徴とするパチンコ機。
　【請求項２】　コードによる識別情報が、レーザ光によって印字されたものであることを特徴とする請求項１に記載のパチンコ機。
　【請求項３】　コードによる識別情報が、バーコードあるいは２次元コードによる識別情報であることを特徴とする請求項１、または請求項２に記載のパチンコ機。」を、　
「【請求項１】　制御装置内に設置されたＲＯＭ等の制御素子によって作動が制御されるパチンコ機であって、
　ＲＯＭの外面に、機台固有のシリアルナンバーであり他のパチンコ機のものと異なるものが、識別情報として、レーザ光によって印字された色彩を有するコードによって直接に表示されているとともに、
　制御装置に、プリント基板を覆うように透明な合成樹脂製のカバー部材が設けられており、そのカバー部材の外部からＲＯＭに表示された識別情報を認識可能であることを特徴とするパチンコ機。
　【請求項２】　コードによる識別情報が、バーコードあるいは２次元コードによる識別情報であることを特徴とする請求項１に記載のパチンコ機。」　と訂正する。
（２）訂正事項ｂ
　特許明細書（平成１２年８月９日提出の全文補正明細書）の段落【０００５】の
「ＲＯＭの外面にコードによる識別情報が直接に表示されているとともに、」を、
「ＲＯＭの外面に、機台固有のシリアルナンバーであり他のパチンコ機のものと異なるものが、識別情報として、レーザ光によって印字された色彩を有するコードによって直接に表示されているとともに、」と訂正する。
（３）訂正事項ｃ
　特許明細書（平成１２年８月９日提出の全文補正明細書）の段落【０００６】の記載を削除する。
（４）訂正事項ｄ
　特許明細書（平成１２年８月９日提出の全文補正明細書）の段落【０００７】の
「請求項２に記載された発明の構成は、請求項１、または請求項２に記載された発明において、」を、
「請求項２に記載された発明の構成は、請求項１に記載された発明において、」と訂正する。
（５）訂正事項ｅ
　特許明細書（平成１２年８月９日提出の全文補正明細書）の段落【００２１】の記載を、
「　【発明の効果】
　請求項１に記載されたパチンコ機は、ＲＯＭの外面に、機台固有のシリアルナンバーであり他のパチンコ機のものと異なるものが、識別情報として、レーザ光によって印字された色彩を有するコードによって直接に表示されているため、ＲＯＭが不正に取り替えられた場合であっても、表示されたシリアルナンバーを確認することによって、容易にその事態を発見することができ、不正遊技者にとって都合良く作動する事態を未然に防止することができる。また、ＲＯＭの表面に識別シールを貼着する必要がないため、製造時におけるＲＯＭの基板への設置作業が非常に容易である。さらに、貼着された識別シールの剥離によって基板に設置されているＲＯＭが正規のものなのか不正に取り替えられたものなのか判別できなくなる、という事態も生じない。
　また、シリアルナンバーの表示が、レーザ光によって印字された色彩を有するものであるため、ＲＯＭが不正に取り替えられた場合には、そのＲＯＭに表示されたシリアルナンバーの文字の形態、色彩等をチェックすることにより、そのシリアルナンバーが他の方法によって表示されたものであるか否か、すなわち、そのＲＯＭが正規のものであるか否かを簡単に見分けることができ、ＲＯＭの不正な取り替えのあった事態を、非常に容易に発見することができる。このため、より精度の高い遊技機となる。」と訂正する。
（６）訂正事項ｆ
　特許明細書（平成１２年８月９日提出の全文補正明細書）の段落【００２２】の記載を削除する。
（７）訂正事項ｇ
　特許明細書（平成１２年８月９日提出の全文補正明細書）の段落【００２３】の
「請求項３に記載されたパチンコ機は、」を、「請求項２に記載されたパチンコ機は、」と訂正する。
　
2-2.訂正の目的の適否、新規事項の有無及び拡張・変更の存否
　上記訂正事項ａは、特許請求の範囲の請求項１において、「識別情報」を下位概念である「機台固有のシリアルナンバーであり他のパチンコ機のものと異なるもの」に限定すると共に、「コード」を下位概念である「レーザ光によって印字された色彩を有するコード」に限定すると共に、請求項２を削除し、請求項３の項番を繰り上げて請求項２とするものであるから、特許請求の範囲の減縮を目的とするものである。
  上記訂正事項ｂ〜ｇは、上記訂正事項ａにより訂正された特許請求の範囲の記載と発明の詳細な説明の記載の整合を図るものであり、明りようでない記載の釈明を目的とするものである。
　また、上記訂正事項ａ〜ｇは、願書に添付した明細書又は図面に記載した事項の範囲内の訂正であり、実質上特許請求の範囲を拡張し又は変更するものでもない。
　
2-3.むすび
　以上のとおりであるから、上記訂正は、特許法第１２０条の４第２項及び同条第３項において準用する特許法第１２６条第２項及び第３項の規定に適合するので、当該訂正を認める。
　
３．特許異議の申立てについての判断
3-1.本件発明
　本件特許第３１２３５３８号の請求項１及び２に係る発明（以下、「本件発明１」及び「本件発明２」という。）は、訂正明細書の特許請求の範囲の請求項１及び２に記載されたとおりのものである（上記「2-1.訂正の内容」の「（１）訂正事項ａ」参照。）。
　
3-2.引用刊行物
　当審で、平成１５年１月１５日付けで通知した取消の理由で引用した刊行物１〜３には、以下の事項が記載されている。
　
〔刊行物１〕
　特開平７−８８２２６号公報（申立人荒井俊之提出の甲第１号証）
「【０００１】
　【産業上の利用分野】本発明は、中央処理装置や記憶素子等の電子部品を用いて遊技内容を制御するパチンコ遊技機に関するものである。」
「【０００３】ところで、遊技内容の制御は、中央処理装置（以下ＣＰＵと称する）や記憶素子等の電子部品により行われる。即ち、遊技内容は、記憶素子である、例えばＲＯＭにそのプログラムが記憶されている。したがって、ＲＯＭの交換や回路の変更等により、電子技術者であれば、法律の規制による検定を受けたパチンコ遊技機の遊技内容を、賭博性の高いものに簡易に改造することができる。このため、かかる不正を防止し、ＲＯＭの交換等による改造をすることができないように、パチンコ遊技機の電子部品を収納するケースは、封印紙により封印されている。」
「【０００９】図１は、本発明の一実施例であるパチンコ遊技機１の制御部３の拡大斜視図である。図１において、制御部３は、後述する封印紙が貼られたＣＰＵやＲＯＭ等の電子部品と、該電子部品が配置されているプリント基板１０と、電子部品やプリント基板を収納する上部蓋１１ａと底板１１ｂとから構成される収納ケース１１とを含む。１２は、収納ケース１１内部のプリント基板１０に配置されたＣＰＵやＲＯＭ等の異常の有無を検査するために上部蓋１１ａの一部に設けられた透明な観察窓である。・・・」
「【００１１】今、例えば、遊技場の経営者が回路を変更したり、ＲＯＭ２２を交換したりして、検定を受けたパチンコ遊技機１の遊技内容を不正に改造し、ＣＰＵ２１やＲＯＭ２２等に貼られた封印紙２５ａ〜２５ｃが破られていたり、偽造した封印紙２５ａ〜２５ｃが貼られていたとする。このような遊技内容の不正改造が行われた場合、制御部３の上部蓋１１ａを取り外さなくても、即ち、収納ケース１１に貼られた封印紙１３を破ることなく、観察窓１２から内部を覗くことによって、ＣＰＵ２１等に貼られた封印紙２５ａ〜２５ｃの異常の有無や封印番号を簡易に検査し、それによって真正な電子部品が使用されているか否か、即ち、不正改造が行われたか否かを簡易に知ることができる。
　【００１２】以上説明したように上記の実施例によれば、遊技内容を制御する制御部３の収納ケース１１に貼られた封印紙１３を破ることなく、制御部３内のＣＰＵ２１やＲＯＭ２２等に不正改造が行われているか否かを迅速且つ容易に検査することができる。
　【００１３】尚、上記の実施例では、上部蓋１１ａの一部にやや大きめの観察窓１２を設けたが、本発明は、これに限定されるものではなく、例えば、封印を施した電子部品のみを検査することができるような小さなものでもよいし、反対に、上部蓋１１ａの上面全部を観察窓としたり、上部蓋１１ａ全体を観察窓としてもよい。また、観察窓１２として使用する材質は、静電気を帯びない材質で、且つ透明な材質、例えば金属の粉を混ぜた導電性のある樹脂等が好ましい。勿論、小さめの観察窓１２であれば、観察窓１２を開口状態にしておいてもよい。」
　上記記載及び図面【図１】〜【図３】の記載からみて、上記刊行物１には
「制御部３内に設置されたＲＯＭ２２等の電子部品によって遊技内容が制御されるパチンコ遊技機１であって、制御部３に、プリント基板１０を覆うように透明な合成樹脂製の上部蓋１１ａが設けられており、その上部蓋１１ａの外部からＲＯＭ２２に貼られた封印紙２５ｂに表示された封印番号を認識可能であるパチンコ遊技機１。」の発明が、記載されていると認められる。
　
〔刊行物２〕
　実願平５−１６０３６号（実開平６−６６７６２号）のＣＤ−ＲＯＭ
（申立人町田彬提出の平成１４年１０月８日付け上申書に添付した資料７）
「【０００４】 ところで、パチンコホールでは、前記基板ケースのカバー体がドライバーなどで自由に取り外しできると、回路を変更してゲームに賭博性を持たせるといった不正行為が行なわれるおそれが有るため、カバー体を台板から外すと容易にそれが解るようあらかじめカバー体と台板とに亘り封印シールを貼着するようにしている。しかも、管理上の面から該封印シールは番号が付され、各パチンコ機毎に関連性が持たせてある。」
「【０００６】・・・本考案は・・・各パチンコ機に順次番号の揃った封印シールを貼着した基板ケースを装着することができ、しかも基板ケースを付け直すといった面倒な作業も不要とした基板ケースを提供することを目的とする。」
「【００１１】 しかして、図３，図４に示すよう基板ケース１０は前記遊技盤２に装着される機構板３の裏面に装着される台板１１と、該台板１１の前面に固着されパチンコ機１の動作状態を制御するための回路基板１２と、該回路基板１２の前面を覆う箱状のカバー体１３からなる。・・・」
「【００１４】このようにして組み立てられた基板ケース１０は、図１に示すようにパチンコ機１における遊技盤２の裏面に装着され、各種配線が接続される。そして、検査の結果合格すれば、図２に示すようカバー体１３の工具差込部２３に封印シール２５を前記台板１１の裏側に跨がらないようにして貼着し、工具差込部２３を塞ぐ。
　また、検査の結果、その基板ケース１０が不良品と解れば、他のものと交換して装着し、不良品でないことを確認した後に封印シール２５を貼着する。これにより、番号を狂わせることなくパチンコ機毎に順に合致する番号の封印シール２５を貼着することができる。」
「【００１６】
　【考案の効果】・・・本考案の基板ケースによれば、・・・パチンコ機毎に番号を狂わすことなく封印シールを貼着することができ管理し易く、しかも基板ケースを取り替えるという手間もなくなり作業の簡素化並びに作業の能率向上に資することができるという利点を有する。」
　上記記載及び図面【図１】〜【図４】の記載からみて、上記刊行物２には
「パチンコ機１の動作状態を制御するための回路基板１２の前面を覆うカバー体１３に、順次揃った番号が付された封印シールを貼着し、各パチンコ機毎に関連性を持たせて管理し易くしたパチンコ機１。」の発明が、記載されていると認められる。
　
〔刊行物３〕
　特開平９−８４９４０号公報（申立人町田彬提出の甲第１号証）
「【００１２】・・・パチンコ遊技機１における遊技全般の動作を制御する遊技制御部１６、・・・」
「【００２０】次に、遊技制御部１６の構造を図３乃至図５により説明する。図３に示す遊技制御基板３１とそれに取付けられた部品により遊技制御部が形成されている。遊技制御基板３１には中央演算処理機能を有するＣＰＵ１７、読み書き可能なメモリであるＲＡＭ１８および読み出し専用のメモリであるＲＯＭ１９が取り付けられている。・・・
　【００２１】金属板で作られた導電性枠本体３３は遊技制御基板３１を収容し、導電性物質を含有したプラスチック製の枠基体３９に取付けられる。・・・導電性枠本体３３に収容された遊技制御基板３１を覆うように金属板で作られた導電性カバー２８が導電性枠本体３３に締着される。・・・なお、導電性枠本体３３、導電性カバー２８は導電性物質を含有したプラスチックで形成してもよい。
　【００２２】導電性カバー２８には多数の開口部２９、２９…が設けられている。導電性カバー２８はさらにプラスチック製の透明カバー２３で覆われる。・・・このように導電性枠本体３３、導電性カバー２８、透明カバー２３および枠基体３９で覆われた遊技制御基板３１は遊技盤の裏面に配置されるが透光性材料や金属板の穴を通して点検でき、遊技制御基板３１の不正な改造が防止される。」
「【００２４】このように導電性金属部材４１はＲＯＭ１９を覆うように取付けられるが、導電性金属部材４１の網状透視窓４２を介してＲＯＭ１９の印字部４４を見ることができる。」
「ＲＯＭ１９の外面の印字部４４には、アルファベットと数字が直接に表示されている」点。（【図４】）
　上記記載及び図面【図２】〜【図６】の記載からみて、上記刊行物３には
「遊技制御部１６内に設置されたＲＯＭ１９等の部品によって、遊技全般の動作が制御されるパチンコ遊技機１であって、ＲＯＭ１９の外面の印字部４４に、アルファベットと数字が直接に表示されているとともに、遊技制御部１６に、遊技制御基板３１を覆うようにプラスチック製の透明カバー２３が設けられており、その透明カバー２３の外部からＲＯＭの印字部４４を認識可能であるパチンコ遊技機１。」の発明が、記載されていると認められる。
　
3-3.対比・判断
〔１〕本件発明１について
　　Ａ．刊行物１に記載された発明との対比・判断
　本件発明１（以下「前者」という。）と上記刊行物１に記載された発明（以下「後者」という。）を対比すると、
　後者の「制御部３」は前者の「制御装置」に対応し、以下同様に、後者の「ＲＯＭ２２等の電子部品」は前者の「ＲＯＭ等の制御素子」に、後者の「遊技内容」は前者の「作動」に、後者の「パチンコ遊技機１」は前者の「パチンコ機」に、後者の「上部蓋１１ａ」は前者の「カバー部材」に、それぞれ対応し、
　前者の「機台固有のシリアルナンバーであり他のパチンコ機のものと異なるもの」と、後者の「封印番号」は、いずれも「識別情報」といえるものであるから、
　両者は、「制御装置内に設置されたＲＯＭ等の制御素子によって作動が制御されるパチンコ機であって、制御装置に、プリント基板を覆うように透明な合成樹脂製のカバー部材が設けられており、そのカバー部材の外部から識別情報を認識可能であるパチンコ機。」の発明である点で一致し、以下の点で相違する。
（相違点）
　前者では、「ＲＯＭの外面に、機台固有のシリアルナンバーであり他のパチンコ機のものと異なるものが、識別情報として、レーザ光によって印字された色彩を有するコードによって直接に表示されている」のに対して、後者では、識別情報が、機台固有のシリアルナンバーであり他のパチンコ機のものと異なるものではなく、ＲＯＭに貼られた封印紙に表示されている点。
　上記相違点について検討する。
　上記刊行物２には、「パチンコ機１の動作状態を制御するための回路基板１２の前面を覆うカバー体１３に、順次揃った番号が付された封印シールを貼着し、各パチンコ機毎に関連性を持たせて管理し易くしたパチンコ機１。」の発明が記載され、該発明における「順次揃った番号」は、各パチンコ機毎に異なるものであり、「機台固有のシリアルナンバーであり他のパチンコ機のものと異なる識別情報」といえ、
　上記刊行物３には、パチンコ機において、「ＲＯＭ１９の外面の印字部４４に、アルファベットと数字が直接に表示されている」点が記載されており、該点における「アルファベットと数字」は「コードによる識別情報」であることは明らかであるから、
　上記刊行物１に記載された発明において、「識別情報」を、「機台固有のシリアルナンバーであり他のパチンコ機のものと異なるもの」とし、「ＲＯＭの外面に、コードによって直接に表示」することは、当業者であれば容易に想到し得ることである。
　さらに、「レーザ光によって印字された色彩を有する」識別情報は、電子部品の技術分野で周知の技術である（特開昭６３−２３９０５９号公報、特開昭６２−５０３６０号公報、特開昭６１−１９２７３７号公報、特開昭６０−２４５６２７号公報参照。）から、電子部品の一種であるＲＯＭの外面に、コードによる識別情報を表示するにあたり、コードを「レーザ光によって印字された色彩を有する」ものとすることは、当業者が容易になし得る程度の設計的事項にすぎない。
　そして、前者によって奏せられる効果は、上記刊行物１〜３に記載された発明及び上記周知の技術によって奏せられる効果の総和にすぎない。
　したがって、本件発明１は、上記刊行物１〜３に記載された発明及び上記周知の技術に基いて当業者が容易に発明をすることができたものであり、特許法第２９条第２項の規定により特許を受けることができない。
　　Ｂ．刊行物３に記載された発明との対比・判断
　本件発明１（以下「前者」という。）と上記刊行物３に記載された発明（以下「後者」という。）を対比すると、
　後者の「遊技制御部１６」は前者の「制御装置」に対応し、以下同様に、後者の「ＲＯＭ１９等の部品」は前者の「ＲＯＭ等の制御素子」に、後者の「遊技全般の動作」は前者の「作動」に、後者の「パチンコ遊技機１」は前者の「パチンコ機」に、後者の「遊技制御基板３１」は前者の「プリント基板」に、後者の「プラスチック製の透明カバー２３」は前者の「透明な合成樹脂製のカバー部材」に、それぞれ対応し、
　後者の「アルファベットと数字」は「コードによる識別情報」であることは明らかであるから、
　両者は、「制御装置内に設置されたＲＯＭ等の制御素子によって作動が制御されるパチンコ機であって、ＲＯＭの外面に、識別情報がコードによって直接に表示されているとともに、制御装置に、プリント基板を覆うように透明な合成樹脂製のカバー部材が設けられており、そのカバー部材の外部からＲＯＭに表示された識別情報を認識可能であるパチンコ機。」である点で一致し、以下の点で相違する。
（相違点）
　前者では、識別情報が「機台固有のシリアルナンバーであり他のパチンコ機のものと異なるもの」であり、コードが「レーザ光によって印字された色彩を有する」ものであるのに対して、後者では、そうではない点。
　上記相違点について検討する。
　上記刊行物２には、「パチンコ機１の動作状態を制御するための回路基板１２の前面を覆うカバー体１３に、順次揃った番号が付された封印シールを貼着し、各パチンコ機毎に関連性を持たせて管理し易くしたパチンコ機１。」の発明が記載され、該発明における「順次揃った番号」は、各パチンコ機毎に異なるものであり、「機台固有のシリアルナンバーであり他のパチンコ機のものと異なる識別情報」といえるものであるから、
　上記刊行物３に記載された発明において、上記刊行物２に記載された発明を適用して、「識別情報」を「機台固有のシリアルナンバーであり他のパチンコ機のものと異なるもの」とすることは、当業者であれば容易に想到し得ることである。
　さらに、「レーザ光によって印字された色彩を有する」識別情報は、電子部品の技術分野で周知の技術である（特開昭６３−２３９０５９号公報、特開昭６２−５０３６０号公報、特開昭６１−１９２７３７号公報、特開昭６０−２４５６２７号公報参照。）から、電子部品の一種であるＲＯＭの外面に、コードによる識別情報を表示するにあたり、コードを「レーザ光によって印字された色彩を有する」ものとすることは、当業者が容易になし得る程度の設計的事項にすぎない。
　そして、前者によって奏せられる効果は、上記刊行物３、２に記載された発明及び上記周知の技術によって奏せられる効果の総和にすぎない。
　したがって、本件発明１は、上記刊行物３、２に記載された発明及び上記周知の技術に基いて当業者が容易に発明をすることができたものであり、特許法第２９条第２項の規定により特許を受けることができない。
　
〔２〕本件発明２について
　本件発明２は、本件発明１を引用し、「コードによる識別情報が、バーコードあるいは２次元コードによる識別情報であること」という限定事項を付加したものであり、上記「〔１〕本件発明１について」で述べたように、本件発明１は、上記刊行物１〜３に記載された発明及び上記周知の技術に基いて、又は、上記刊行物３、２に記載された発明及び上記周知の技術に基いて当業者が容易に発明をすることができたものであるから、上記限定事項について検討する。
　電子部品の表面に表示されるコードによる識別情報が、バーコードあるいは２次元コードによる識別情報である点は、周知である（特開平６−２１６２６５号公報、特開平６−１３４７５号公報、特開平９−６２７６４号公報、特開平５−２６７４８２号公報参照。）から、上記限定事項は周知の事項を単に採用したにすぎない。
　そして、本件発明２によって奏せられる効果は、上記刊行物１〜３に記載された発明及び上記周知の技術、又は、上記刊行物３、２に記載された発明及び上記周知の技術によって奏せられる効果の総和にすぎない。
　したがって、本件発明２は、上記刊行物１〜３に記載された発明及び上記周知の技術、又は、上記刊行物３、２に記載された発明及び上記周知の技術に基いて当業者が容易に発明をすることができたものであり、特許法第２９条第２項の規定により特許を受けることができない。
　
3-4.むすび
　以上のとおりであるから、本件発明１、２についての特許は、特許法第２９条第２項の規定に違反してなされたものであり、特許法第１１３条第２号に該当し、取り消されるべきものである。
　よって、結論のとおり決定する。
【異議決定日】
平成１５年４月９日（２００３．４．９）
【訂正の要旨】
ａ．　特許請求の範囲を、
「【請求項１】　制御装置内に設置されたＲＯＭ等の制御素子によって作動が制御されるパチンコ機であって、
　ＲＯＭの外面に、
機台固有のシリアルナンバーであり他のパチンコ機のものと異なるものが、識別情報として、レーザ光によって印字された色彩を有するコードによって
　制御装置に、プリント基板を覆うように透明な合成樹脂製のカバー部材が設けられており、そのカバー部材の外部からＲＯＭに表示された識別情報を認識可能であることを特徴とするパチンコ機。
　【
請求項２
１に
と訂正する。
ｂ．　明細書（平成１２年８月９日付提出の手続補正書）第２頁第０００５段落第３行〜第４行の「ＲＯＭの外面にコードによる識別情報が直接に表示されているとともに、」を、「ＲＯＭの外面に、
機台固有のシリアルナンバーであり他のパチンコ機のものと異なるものが、識別情報として、レーザ光によって印字された色彩を有するコードによって
ｃ．　明細書（平成１２年８月９日付提出の手続補正書）第２頁第０００６段落の記載を削除する。
ｄ．　明細書（平成１２年８月９日付提出の手続補正書）第２頁第０００７段落第１行〜第２行の「請求項３に記載された発明の構成は、請求項１、または請求項２に記載された発明において、」を、「
請求項２
１に
ｅ．　明細書（平成１２年８月９日付提出の手続補正書）第６頁第００２１段落の記載を「請求項１に記載されたパチンコ機は、ＲＯＭの外面に、
機台固有のシリアルナンバーであり他のパチンコ機のものと異なるものが、識別情報として、レーザ光によって印字された色彩を有するコードによって
また、シリアルナンバーの表示が、レーザ光によって印字されたものであるため、ＲＯＭが不正に取り替えられた場合には、そのＲＯＭに表示されたシリアルナンバーの文字の形態、色彩等をチェックすることにより、そのシリアルナンバーが他の方法によって表示されたものであるか否か、すなわち、そのＲＯＭが正規のものであるか否かを簡単に見分けることができ、ＲＯＭの不正な取り替えのあった事態を、非常に容易に発見することができる。このため、より精度の高い遊技機となる。
ｆ．　明細書（平成１２年８月９日付提出の手続補正書）第６頁第００２２段落の記載を削除する。
ｇ．　明細書（平成１２年８月９日付提出の手続補正書）第７頁第００２３段落第１行の「請求項３に記載されたパチンコ機は、」を、「
請求項２
（５４）【発明の名称】
パチンコ機
（５７）【特許請求の範囲】
　【請求項１】　制御装置内に設置されたＲＯＭ等の制御素子によって作動が制御されるパチンコ機であって、
　ＲＯＭの外面に、
機台固有のシリアルナンバーであり他のパチンコ機のものと異なるものが、識別情報として、レーザ光によって印字された色彩を有するコードによって
　制御装置に、プリント基板を覆うように透明な合成樹脂製のカバー部材が設けられており、そのカバー部材の外部からＲＯＭに表示された識別情報を認識可能であることを特徴とするパチンコ機。
　【
請求項２
１に
【発明の詳細な説明】
　【０００１】
　【発明の属する技術分野】
　本発明は、パチンコ機、スロットマシーン等の遊技機に関するものである。
　【０００２】
　【従来の技術】
　遊技機の一種であるパチンコ機には、ＲＯＭやＣＰＵ等の種々の制御素子を内蔵した制御装置が設けられている。かかる制御素子は、パチンコ機の作動内容を制御するものであるため、遊技者にとって都合良く作動するように、不正に取り替えられることがある。このため、制御素子には、他の制御素子と容易に判別できるように、機種名、製造者名等を示した識別情報が表示される。また、制御素子は、一般的に小型で複雑な形状を有しているとともに、熱に弱いものであるため、識別情報の表示をする場合には、識別情報が印刷された識別シールを貼着する方法が採用される。
　【０００３】
　【発明が解決しようとする課題】
　しかしながら、上記の如く制御素子に識別シールが貼着された従来のパチンコ機は、制御素子が不正に取り替えられた後に、同一の識別シール、あるいは同一の内容を印刷した偽造の識別シールが貼着された場合には、不正の事態を容易に発見することができず、不正遊技者にとって都合良く作動する事態を防止することができない。また、制御素子の表面の狭いスペースに小さな識別シールを手作業で貼着しなければならないため、製造時における制御素子の基板への設置作業が非常に煩わしいし、設置作業に多くの人件費がかかり、製造コストが高いものとなる。さらに、貼着した識別シールが勝手に剥がれてしまい、基板に設置されている制御素子が正規のものなのか不正に取り替えられたものなのか判別できなくなる、という問題点もある。
　【０００４】
　本発明の目的は、上記従来のパチンコ機の問題点を解消し、制御素子が不正に取り替えられた場合には、その事態を容易に発見することができ、不正遊技者にとって都合良く作動する事態を未然に防止することができる不正行為防止性能の高いパチンコ機を提供することにある。
　【０００５】
　【課題を解決するための手段】
　かかる本発明の内、請求項１に記載された発明の構成は、制御装置内に設置されたＲＯＭ等の制御素子によって作動が制御されるパチンコ機であって、ＲＯＭの外面に、
機台固有のシリアルナンバーであり他のパチンコ機のものと異なるものが、識別情報として、レーザ光によって印字された色彩を有するコードによって
　【０００６】
　【０００７】
　
請求項２
１に
　【０００８】
　【発明の実施の形態】
　以下、本発明のパチンコ機について、図面に基づいて詳細に説明する。
　【０００９】
　図１は、遊技機の一種であるパチンコ機の裏面を示したものであり、パチンコ機１は、周囲が機枠１５で覆われている。そして、その機枠１５の内部に、機構板２が設置されており、機構板２の中央よりやや下側に、制御装置３が取り付けられている。制御装置３は、支持板４を機構板２の裏面に当接させた状態で、機構板２に対して着脱自在に取り付けられている。なお、機構板２は、機枠１５の片側縁を軸として開閉自在に蝶着されており、制御装置３の他に、遊技球タンク５、遊技球払出装置６、裏カバー７等が、取り付けられている。
　【００１０】
　図２は、制御装置３を分解して示したものであり、制御装置３は、ＲＯＭ８やＣＰＵ９等の種々の制御素子を設置した基板１０と、基板１０の裏側に取り付けられた支持板４と、基板１０を覆うように支持板４に螺着された合成樹脂製で全体が透明なカバー部材１１等によって形成されている。なお、カバー部材１１は、箱形に形成されており、多数の冷却孔１２，１２・・が穿設されている。また、中央の下側には表示部１３が設けられており、パチンコ機製造メーカー名等が記載されている。
　【００１１】
　そして、基板１０上に設置されたＲＯＭ８の表面（外面）には、機種名、製造者、シリアルナンバー（すなわち、機台固有の連続したナンバー）、製造年月日等を示した識別情報１４が直接に印字されている。図３は、識別情報１４を示したものであり、識別情報１４は、レーザ光（赤外線ＣＯ２レーザ）を利用した印字手段（たとえば、サンクス株式会社製レーザマーカ）によって印字されたものである。また、識別情報１４は、高さおよび幅が約１ｍｍのきわめて小さい文字によって表示されているが、各文字が非常に鮮明であるため、カバー部材１１の外側からでも容易に認識することができる。さらに、識別情報１４の文字は、きわめて小さく、かつ非常に鮮明であるばかりでなく、独特の形態、色彩を有しているため、ピンや針によって刻設する方法等の他の方法によって表示された文字と容易に見分けることができる。
　【００１２】
　パチンコ機１は、上記の如く、ＲＯＭ８の表面に、レーザ光を利用した印字手段によって形成された特殊な文字からなる識別情報１４が表示されているため、ＲＯＭ８が不正に取り替えられた場合には、そのＲＯＭに表示された識別情報の文字の形態、色彩等をチェックすることにより、表示された識別情報が他の方法によって表示された識別情報であるか否か、すなわち、そのＲＯＭが正規のものであるか否かを簡単に見分けることができる。それゆえ、ＲＯＭの不正取り替えの事態を容易に発見することができるため、不正遊技者にとって都合良く作動する事態を未然に防止することができる。なお、識別シールの偽造が少ない資金で行うことができるのに比べ、レーザ光を利用した印字手段による印字は、非常に多くの資金を必要とするため、正規のＲＯＭが、不正にレーザ光を利用した印字手段によって印字された偽造のＲＯＭに取り替えられる心配はない。
　【００１３】
　また、パチンコ機１は、ＲＯＭ８の表面に識別シールを貼着する必要がないため、製造時におけるＲＯＭ８の基板１０への設置作業が非常に容易であるし、少ない人員で効率良く設置作業を行うことができるため、設置作業にかかる人件費が非常に少ない。さらに、貼着された識別シールの剥離によって基板１０に設置されているＲＯＭが正規のものなのか不正に取り替えられたものなのか判別できなくなる、という事態も生じない。
　【００１４】
　なお、本発明の遊技機は、上記実施形態の態様に何ら限定されるものではなく、制御装置の形状、構造、制御装置の取付位置、取付方法、制御素子の種類、形状、構造、識別表示の表示態様、表示方法等の構成を、本発明の趣旨を逸脱しない範囲内で適宜変更することができる。
　【００１５】
　たとえば、上記実施形態においては、ＲＯＭに識別情報を直接に表示した場合について説明したが、識別情報を直接に表示する制御素子はＲＯＭに限定されるものではなく、他の制御素子であっても良い。
　【００１６】
　また、制御素子に識別情報を直接印字する方法としては、レーザ光を利用した印字手段によって印字する方法の他に、シルク印刷によって印刷する方法、あるいは、射出成形等によって制御素子のパッケージを製造する段階で識別情報を一体的に形成する方法等を採用することもできる。なお、上記実施形態の如く、レーザ光を利用した印字手段によって印字する方法、シルク印刷によって印刷する方法を採用した場合には、遊技機の制御素子に、他の遊技機の制御素子と異なるシリアルナンバーを表示することができる、というメリットがある。
　【００１７】
　さらに、制御素子と基板、あるいは基板と制御装置のカバー部材、あるいはカバー部材と機構板とに跨るように封印シールを貼着することも可能であるし、制御装置を、機構板から不正に取り外された場合に何らかの痕跡が残るような構造を有するもの（たとえば、カバー部材に、機構板に係合可能で脱着不能であり、かつ切断容易な係合ピンを一体的に設けたもの）に変更することも可能である。かかる構成を採用した場合には、遊技機の不正行為防止性能が一段と向上する。
　【００１８】
　一方、レーザ光を利用した印字手段によって識別情報を印字する場合には、赤外線ＣＯ２レーザを利用した印字手段以外に、他の種類のレーザ光を利用した印字手段を使用することも可能である。なお、パチンコ機に設置される制御素子のパッケージは、通常、硬質の合成樹脂によって形成されるため、赤外線ＣＯ２レーザを利用した印字手段によって識別情報を印字した場合には、各文字が明瞭な輪郭を有するものとなる、というメリットがある。
　【００１９】
　また、制御素子に表示する識別情報は、バーコードや２次元コード（たとえば、ＱＲ（クイックレスポンス）コード）等のコードによる表示に変更したり、そのようなコードによる表示を上記実施形態の如き文字表示に追加したりすることも可能である。なお、コードによれば、同一内容を文字よりも小さなスペースで表示することができるので、識別情報をコード表示に変更した場合には、制御素子の限られたスペースに多くの情報を表示することができる、というメリットがある。また、コードの内容はコードリーダがなければ認識できないため、識別情報をコード表示に変更した場合には、不正な識別情報の表示が一層困難なものとなり、パチンコ機の不正行為防止性能がより一層精度の高いものとなる、というメリットもある。
　【００２０】
　なお、上記実施形態においてはパチンコ機について説明したが、本発明の遊技機は、スロットマシーンやテレビゲーム等のパチンコ機以外の遊技機であっても良い。
　【００２１】
　【発明の効果】
　請求項１に記載されたパチンコ機は、ＲＯＭの外面に、
機台固有のシリアルナンバーであり他のパチンコ機のものと異なるものが、識別情報として、レーザ光によって印字された色彩を有するコードによって
　
また、シリアルナンバーの表示が、レーザ光によって印字された色彩を有するものであるため、ＲＯＭが不正に取り替えられた場合には、そのＲＯＭに表示されたシリアルナンバーの文字の形態、色彩等をチェックすることにより、そのシリアルナンバーが他の方法によって表示されたものであるか否か、すなわち、そのＲＯＭが正規のものであるか否かを簡単に見分けることができ、ＲＯＭの不正な取り替えのあった事態を、非常に容易に発見することができる。このため、より精度の高い遊技機となる。
　【００２２】
　【００２３】
　
請求項２
【図面の簡単な説明】
　【図１】
　パチンコ機の裏面を示す説明図である。
　【図２】
　制御装置を分解して示す説明図である。
　【図３】
　識別情報を示す説明図である。
　【符号の説明】
　１・・パチンコ機、２・・機構板、３・・制御装置、４・・支持板、５・・遊技球タンク、６・・遊技球払出装置、７・・裏カバー、８・・ＲＯＭ、９・・ＣＰＵ、１０・・基板、１１・・カバー部材、１２・・冷却孔、１３・・表示部、１４・・識別情報、１５・・機枠。